(57)【要約】      （修正有）【課題】商品説明書や保証書などを商品梱包容器に一体的に形成して、より安価な商品梱包容器を提供する。【解決手段】容器本体２の開口部２の辺Ｓ１から容器本体２の上面開口部２１を覆い隠す蓋フラップ３を設けるとともに、蓋フラップ３に対向する辺Ｓ２に容器本体２の底面に沿って折り込まれる中敷きフラップ４２をさらに設けて、蓋フラップ３と中敷きフラップ４２に商品説明書きや保証書面などを記載する。【選択図】図３
2008273608.tif 000002
【特許請求の範囲】
【請求項１】
周囲が４つの囲壁によって囲まれ、少なくとも上面が開放されていて、内部に商品を収納する収納空間を備えている箱状の容器本体と、上記容器本体のいずれか１つの囲壁（第１囲壁）の上端縁から折り曲げ可能に延設され、上記容器本体の開口部を覆い隠す蓋フラップとを有する商品梱包容器において、
上記第１囲壁に対向する第２囲壁の上端縁から延設され、上記第２囲壁の内面に沿って折り込まれる中間フラップと、上記中間フラップの他端から折り曲げ可能に延設され、上記容器本体の底部に沿って折り込まれる中敷きフラップとを有し、
上記中敷きフラップには、山折りすることにより上記容器本体の収納空間を複数に仕切る仕切り板が含まれていることを特徴とする商品梱包容器。
【請求項２】
上記中敷きフラップの両端には、残された互いに対向する第３および第４囲壁の内面に沿って配置される一対の側板フラップが折り曲げ可能に連設されていることを特徴とする請求項１に記載の商品梱包容器。
【請求項３】
上記いずれか一方または両方の側板フラップの端部には、上記開口部の一部を塞ぐように折り曲げられるカバーフラップがさらに連設されていることを特徴とする請求項２に記載の商品梱包容器。
【請求項４】
少なくとも上記中敷きフラップ，上記側板フラップおよび上記カバーフラップには、上記商品の使用方法や注意書きや保証書などの情報が記載される情報記載面が設けられていることを特徴とする請求項１，２または３に記載の商品梱包容器。
【請求項５】
上記中敷きフラップは、上記容器本体の底部を塞ぐ底板を兼ねることを特徴とする請求項１ないし４のいずれか１項に記載の商品梱包容器。
【発明の詳細な説明】
【技術分野】
【０００１】
本発明は、例えば壁面などに取り付けて使用される吊下具などの日用品を梱包するための商品梱包容器に関し、さらに詳しく言えば、商品説明書などの同梱物を省いた商品梱包容器に関する。
【背景技術】
【０００２】
壁や机などの一部を利用して、帽子や手提げ袋などの小物を吊り下げる手段の１つとして、簡易式の吊下具がある。例えば特許文献１に示すように、この種の吊下具は、マグネットや両面粘着テープなどの固定手段を介して壁面に取り付けられるベースを有し、ベースの一部に設けられたフックに被吊下物を吊り下げるようになっている。
【０００３】
ところで、これら吊下具などの日用品は、工場で組み立てられたのち、箱や袋などの商品梱包容器に梱包された状態で小売店に向けて出荷される。商品梱包容器にはさらに、商品の取付方法などが記載された商品説明書や保証書なども同梱される。
【０００４】
【特許文献１】特開２００５−２１８４８７号公報
【発明の開示】
【発明が解決しようとする課題】
【０００５】
しかしながら、従来のように商品説明書や保証書を商品梱包容器内に同梱した場合、ユーザーが商品を一旦設置してしまうと、商品説明書は不要と見なされて廃棄されてしまうことが多く、取り外しの際に外し方が分からなくなるといったことがある。
【０００６】
通常、保証書は、適切な場所に保管して置くことが好ましいが、保管場所が分からなくなったり、誤って廃棄されることが数多くある。また、商品説明書の一部に、保証書が併記されている場合などにおいては、保証書と知らずに廃棄されてしまうといった問題もあった。
【課題を解決するための手段】
【０００７】
そこで、本発明は上述した課題を解決するため、商品説明書や保証書などを商品梱包容器に一体的に形成して、より安価な商品梱包容器を提供することにある。
【０００８】
上述した目的を達成するため、本発明は以下に示すいくつかの特徴を備えている。すなわち、請求項１に記載の発明は、周囲が４つの囲壁によって囲まれ、少なくとも上面が開放されていて、内部に商品を収納する収納空間を備えている箱状の容器本体と、上記容器本体のいずれか１つの囲壁（第１囲壁）の上端縁から折り曲げ可能に延設され、上記容器本体の開口部を覆い隠す蓋フラップとを有する商品梱包容器において、上記第１囲壁に対向する第２囲壁の上端縁から延設され、上記第２囲壁の内面に沿って折り込まれる中間フラップと、上記中間フラップの他端から折り曲げ可能に延設され、上記容器本体の底部に沿って折り込まれる中敷きフラップとを有し、上記中敷きフラップには、山折りすることにより上記容器本体の収納空間を複数に仕切る仕切り板が含まれていることを特徴としている。
【０００９】
請求項２に記載の発明は、上記請求項１において、上記中敷きフラップの両端には、残された互いに対向する第３および第４囲壁の内面に沿って配置される一対の側板フラップが折り曲げ可能に連設されていることを特徴としている。
【００１０】
請求項３に記載の発明は、上記請求項２において、上記いずれか一方または両方の側板フラップの端部には、上記開口部の一部を塞ぐように折り曲げられるカバーフラップがさらに連設されていることを特徴としている。
【００１１】
請求項４に記載の発明は、上記請求項１，２または３において、少なくとも上記中敷きフラップ，上記側板フラップおよび上記カバーフラップには、上記商品の使用方法や注意書きや保証書などの情報が記載される情報記載面が設けられていることを特徴としている。
【００１２】
請求項５に記載の発明は、上記請求項１ないし４のいずれか１項において、上記中敷きフラップは、上記容器本体の底部を塞ぐ底板を兼ねることを特徴としている。
【発明の効果】
【００１３】
本発明によれば、蓋フラップおよび／または中敷きフラップの一部に商品説明書と保証書が一体的に掲載されていることにより、商品説明書や保証書を同梱する必要が無く、ユーザーが保管管理しやすい。
【発明を実施するための最良の形態】
【００１４】
次に、本発明の実施形態について図面を参照しながら説明するが、本発明はこの限りではない。図１は、本発明の一実施形態に係る商品梱包容器の使用状態を示す斜視図であり、図２および図３は、商品梱包容器の展開斜視図である。
【００１５】
図１に示すように、この商品梱包容器１は、紙製シートを折り畳んで形成されており、この例ではボール紙が用いられている。なお、商品梱包容器１の材質は仕様に応じて任意に変更可能であり、印刷可能であれば合成樹脂製としてもよい。
【００１６】
この例での商品梱包容器１は、上面に開口部２１を有し、内部に２つの商品（この例では吊下フックＦ）が収納可能な容器本体２を備えている。容器本体２は、周囲が４つの囲壁（第１〜第４囲壁）２２〜２５によって囲まれた箱状を呈し、容器本体２の下面側は図示しない底板によって閉塞されている。
【００１７】
いずれか１つの囲壁（この例では第１囲壁２５）の上端縁には、開口部２１を覆い隠すための蓋としての蓋フラップ３が一体的に形成されている。蓋フラップ３は、折り線Ｓ１に対して屈曲自在である。
【００１８】
蓋フラップ３の自由端には、蓋フラップ３を開口部２１に被せた状態で固定するための舌片３１が一体的に設けられている。この舌３１は、第１囲壁２５に対向する第２囲壁２２の内面に沿って差し込むことにより、蓋フラップ３が閉じた状態で固定される。また、舌片３１を第２囲壁２２の外面に沿って配置したのち、粘着テープなどで固定してもよい。
【００１９】
蓋フラップ３の内側（図１では、紙面手前側）には、商品の仕様や説明書きなどが掲載されており、取付方法のイラストも掲載されている。記載内容や方法などは仕様に応じて任意である。
【００２０】
図２に示すように、蓋フラップ３に対向する第２囲壁２２の上端縁には、第２囲壁２２の内面に沿って折り込まれる中間フラップ４１が一体的に延設されている。中間フラップ４１は、第２囲壁２２とほぼ同じ大きさで、折り線Ｓ２に沿って折り曲げ可能である。
【００２１】
中間フラップ４１の他端には、中敷きフラップ４２が一体的に連設されている。中敷きフラップ４２は、残された互いに対向する一対の囲壁２３，２４の幅とほぼ同幅で、展開された状態の長さは囲壁２３，２４の距離よりも長い帯状に形成されている。
【００２２】
すなわち、中敷きフラップ４２には、容器本体２の収納空間を二つに区切る仕切り板４３が一体的に含まれており、仕切り板４３を山折りした状態で容器本体２内に納められる。仕切り板４３を形成するため、２つの谷折り線Ｓ４，Ｓ５と、その中間に１つの山折り線Ｓ６が設けられるが、いずれか一方の谷折り線Ｓ４が中敷きフラップ４２の中間に配置されている。
【００２３】
これによれば、谷折り線Ｓ４，Ｓ５の中間に配置される山折り線Ｓ６を山折りすることにより、仕切り板４３が折り畳まれて形成されるのに伴い、両側の中敷きフラップ４２が互いに近接して、容器本体２の開口部とほぼ同じ大きさとなり、容器本体２の収納空間内に収納される。
【００２４】
この例において、この仕切り板４３は、山折り線Ｓ６から各谷折り線Ｓ４，Ｓ５に至る長さが、容器本体２の深さとほぼ同一もしくは、若干短く形成されていることが好ましい。この仕切り板４３にも、商品の仕様説明や注意書きなどが設けられている。
【００２５】
中敷きフラップ４２の両端には、残りの互いに対向する第３囲壁２３および第４囲壁２４の内側に沿って配置される側板フラップ４４，４５が一体的に連接されている。各側板フラップ４４，４５はともに、中敷きフラップ４２に対して折り線Ｓ７，Ｓ８を介して屈曲可能に連結されており、容器本体２の側壁面２３，２４の高さとほぼ同じ長さを有する矩形状を呈している。この各側板フラップ４４，４５にも、商品説明の一部が記載されている。
【００２６】
いずれか一方の側板フラップ（この例では側板フラップ４５）の端部には、開口部２１の一部を塞ぐように折り曲げられるカバーフラップ４６が設けられている。カバーフラップ４６は、折り線Ｓ９を介して側板フラップ４５に屈曲可能に連設されており、図１に示すように、容器本体２の開口部２２のほぼ半分を塞ぐ大きさを備えている。カバーフラップ４６の両面には、仕様説明書きやイラストなどが掲載されている。
【００２７】
この例において、カバーフラップ４６は、折り線Ｓ９を介して中敷きフラップ４２に一体的に連結されているが、例えば折り線Ｓ９をミシン目で形成して、カバーフラップ４６を中敷きフラップ４２に対して切り離し可能としてもよく、カバーフラップ４６に保証書面を印刷することにより、保証書を商品梱包容器１に一体的に組み込むこともできる。
【００２８】
この実施形態において、容器本体１に梱包される商品は、２個の吊下フックＦであるが、本発明の容器構造を備えていれば、中に収納される商品の種類は特に問わない。また、この例において、容器本体２内は仕切り板４３を介して２つに区画されているが、同じ仕切り板４３を長手方向に沿って所定間隔で複数設けることにより、容器本体２の内部を複数に区画できる。
【００２９】
また、この例において、容器本体２の底部には図示しない底板によってあらかじめ閉塞されており、そこに中敷きフラップ４が覆い被さるようになっているが、中敷きフラップを設けることなく、中敷きフラップ４を組み立てたのち、粘着テープなどで固定して底部を閉塞するようにしてもよい。
【図面の簡単な説明】
【００３０】
【図１】本発明の一実施形態に係る商品梱包容器の使用状態図。
【図２】この商品梱包容器を一部を展開した状態の斜視図。
【図３】この商品梱包容器の一部を展開した状態の斜視図。
【符号の説明】
【００３１】
１  商品梱包容器
２  容器本体
２１  開口部
２２〜２４  側壁面
３  蓋フラップ
４１  中間フラップ
４２  中敷きフラップ
４３  仕切り板
４４，４５  側板フラップ
４６  カバーフラップ
【図１】
2008273608.tif 000003
【図２】
2008273608.tif 000004
【図３】
2008273608.tif 000005